(57)【要約】【課題】光ディスク装置の記録速度の高速化に伴い、記録変調波形の劣化を抑制することが要請される。【解決手段】半導体レーザ１とレーザ駆動ＩＣ４との間に略直方体形状を有する放熱部材３を挟み、半導体レーザ１のレーザ放射軸中心Ｌの光ビームＦの放射方向に対し反対面１ａと放熱部材３の半導体レーザ１側の面３ａ、およびレーザ駆動ＩＣ４の端子リード４ｂが半導体レーザ１の方向に向くときの面４ａと放熱部材３のレーザ駆動ＩＣ４側の面３ｂをそれぞれ密着固定し、レーザ駆動ＩＣ４の端子リード４ｂと半導体レーザ１の端子電極２とを半田接続する。これにより、半導体レーザ１又は／及びレーザ駆動ＩＣ４で発生した熱を速やかに放熱部材３に放熱することが可能であるとともに、半導体レーザ１とレーザ駆動ＩＣ４との配線長の短距離化ができ、記録変調波形の劣化を抑制することができる。【選択図】図１
2007305205.tif 000002
【特許請求の範囲】
【請求項１】
光ビームを出射するレーザ光源と、前記レーザ光源に接続され、前記光ビームを出射させる駆動電流を前記レーザ光源に供給する端子電極と、前記レーザ光源に前記駆動電流又は／及び記録変調波形信号を端子リードから供給するレーザ駆動ＩＣと、前記レーザ光源又は／及び前記レーザ駆動ＩＣで発生する熱を放熱する放熱部材とを備え、
前記放熱部材は、前記レーザ光源の前記光ビームの出射方向と反対の面および前記レーザ駆動ＩＣの前記端子リードが前記レーザ光源の方向を向く面にそれぞれ密着することを特徴とする光ピックアップ光源装置。
【請求項２】
前記放熱部材は、略直方体形状の良熱伝導性の金属であることを特徴とする請求項１に記載の光ピックアップ光源装置。
【請求項３】
前記放熱部材は、高熱伝導性の熱伝導シートであり、前記熱伝導シートの一部が熱容量の大きな金属ベースと接続し、前記レーザ光源又は／及び前記レーザ駆動ＩＣで発生する熱が前記金属ベースに伝導することを特徴とする請求項１に記載の光ピックアップ光源装置。
【請求項４】
前記放熱部材は、第１の放熱部材と第２の放熱部材とで断熱部材を挟み、
前記第１の放熱部材は、前記レーザ光源の前記光ビームの出射方向と反対の面に密着し、
前記第２の放熱部材は、前記レーザ駆動ＩＣの前記端子リードが前記レーザ光源の方向を向く面に密着することを特徴とする請求項１に記載の光ピックアップ光源装置。
【請求項５】
前記第１の放熱部材と前記第２の放熱部材は、略直方体形状の良熱伝導性の同じ金属であることを特徴とする請求項４に記載の光ピックアップ光源装置。
【請求項６】
前記第１の放熱部材と前記第２の放熱部材は、略直方体形状の良熱伝導性の異なる金属であることを特徴とする請求項４に記載の光ピックアップ光源装置。
【請求項７】
前記第１の放熱部材と前記第２の放熱部材は、高熱伝導性の熱伝導シートであり、前記熱伝導シートの一部が熱容量の大きな金属ベースと接続し、前記レーザ光源又は／及び前記レーザ駆動ＩＣで発生する熱が前記金属ベースに伝導することを特徴とする請求項４に記載の光ピックアップ光源装置。
【発明の詳細な説明】
【技術分野】
【０００１】
本発明は光ピックアップ装置等に搭載される光ピックアップ光源装置に関する。
【背景技術】
【０００２】
近年、ＤＶＤ（デジタル・バーサタイル・ディスク）、ＣＤ（コンパクト・ディスク）等の光記録媒体の再生や記録等に光ピックアップ装置が利用されており、その光ピックアップ装置には、一般的に、光源である半導体レーザと、それを駆動するためのレーザ駆動ＩＣが搭載されている。光記録媒体への記録時には、記録変調波形等の信号がレーザ駆動ＩＣからフレキシブル基板上の金属配線を伝って半導体レーザに送られる。昨今の記録速度の高速化に伴い、記録変調波形の立ち上がり時間や立ち下り時間は数ナノ秒と非常に短いため、それら応答特性を維持し、高品位な変調波形を確保する設計が難しくなってきている。変調波形の劣化を抑制するためには、レーザ駆動ＩＣから半導体レーザへの配線長の短距離化が望ましく、それらを近接に配置する方法が主流である。しかし、薄型の光ピックアップ装置においては、複数のチップ部品や光学部品を装置内に収納しなければならないため、半導体レーザやレーザ駆動ＩＣの配置を柔軟に行なうことは困難である。また、半導体レーザ及びレーザ駆動ＩＣは、共に発熱源であり、それらを単純に近接配置するだけでは、熱的干渉により性能劣化や寿命短縮等の悪影響が生じてしまう。従って、変調波形の劣化を抑制するためには、半導体レーザとレーザ駆動ＩＣとの近接配置だけではなく、放熱構造をも考慮した設計が必要となる。
【０００３】
従来技術では、例えば、特許文献１に開示されているように、半導体レーザを組み込んだハウジングに放熱板を設置し、折曲部分のバネ性を利用した押圧可能なフレキシブル基板によりレーザドライバーを放熱板に密着させ、レーザドライバーで発生した熱を放熱板に放熱させる構造により、半導体レーザとレーザドライバーとの近接配置および放熱を可能にするものがある。
【特許文献１】特開２００２−２５２４０８号公報
【発明の開示】
【発明が解決しようとする課題】
【０００４】
しかしながら、特許文献１に開示の構造では、レーザドライバーと放熱板とはバネ性を持ったフレキシブル基板により押圧されて密着しているのみで、レーザドライバーと放熱板との間に熱伝導グリス等の放熱部材が介入されているわけでもなく、押圧による密着だけではレーザドライバーで発生した熱を速やかに放熱板に伝熱させるためには十分とは言いがたい。また、特許文献１に開示の図面を見ると、接触部分の放熱板のレーザドライバーに対する表面積が小さく、レーザドライバーで発生する輻射熱が半導体レーザに伝わり、半導体レーザに性能劣化等の悪影響を及ぼす可能性が考えられる。また、昨今の記録速度の高速化においては、半導体レーザの高出力化や、レーザドライバーのスイッチング速度の高速化により発熱量は増大の一途をたどっており、特許文献１に開示の放熱構造では、半導体レーザやレーザドライバーの十分な放熱を行なうことは容易ではない。
【０００５】
本発明は、記録変調波形の劣化を抑制するべく、レーザ駆動ＩＣと半導体レーザを近接配置し、それらの放熱構造も考慮した構造を持つ光ピックアップ光源装置を提供することを目的としている。
【課題を解決するための手段】
【０００６】
上記目的を達成するために、本発明の光ピックアップ光源装置は、光ビームを出射するレーザ光源と、前記レーザ光源に接続され、前記光ビームを出射させる駆動電流を前記レーザ光源に供給する端子電極と、前記レーザ光源に前記駆動電流又は／及び記録変調波形信号を端子リードから供給するレーザ駆動ＩＣと、前記レーザ光源又は／及び前記レーザ駆動ＩＣで発生する熱を放熱する放熱部材とを備え、前記放熱部材は、前記レーザ光源の前記光ビームの出射方向と反対の面および前記レーザ駆動ＩＣの前記端子リードが前記レーザ光源の方向を向く面にそれぞれ密着する。
【０００７】
また、前記放熱部材は、略直方体形状の良熱伝導性の金属であることを特徴とする。
【０００８】
また、前記放熱部材は、高熱伝導性の熱伝導シートであり、前記熱伝導シートの一部が熱容量の大きな金属ベースと接続し、前記レーザ光源又は／及び前記レーザ駆動ＩＣで発生する熱が前記金属ベースに伝導することを特徴とする。
【０００９】
また、前記放熱部材は、第１の放熱部材と第２の放熱部材とで断熱部材を挟み、前記第１の放熱部材は、前記レーザ光源の前記光ビームの出射方向と反対の面に密着し、前記第２の放熱部材は、前記レーザ駆動ＩＣの前記端子リードが前記レーザ光源の方向を向く面に密着することを特徴とする。ここで、前記第１の放熱部材と前記第２の放熱部材は、略直方体形状の良熱伝導性の同じ金属である。または、略直方体形状の良熱伝導性の異なる金属である。または、高熱伝導性の熱伝導シートであり、前記熱伝導シートの一部が熱容量の大きな金属ベースと接続し、前記レーザ光源又は／及び前記レーザ駆動ＩＣで発生する熱が前記金属ベースに伝導する。
【発明の効果】
【００１０】
本発明の光ピックアップ光源装置は、半導体レーザとレーザ駆動ＩＣとの熱的干渉による悪影響が発生することなく、それらを近接に配置することが可能なため、半導体レーザとレーザ駆動ＩＣ間の配線長の短縮化ができ、記録変調波形の劣化を抑制することができる。
【発明を実施するための最良の形態】
【００１１】
以下に、本発明の光ピックアップ光源装置の一実施形態について、添付図面を参照して説明する。
【００１２】
（実施の形態１）
図１は、本実施の形態の光ピックアップ光源装置における要部構成を示す概略図である。図１において、１は光源である半導体レーザ、２は半導体レーザ１にレーザ駆動電流を供給する端子電極、３は放熱部材、４はレーザ駆動ＩＣである。
【００１３】
同図に示すように、半導体レーザ１は光軸中心Ｌの周囲に光ビームＦを放射する。放熱部材３は熱伝導グリスを介して、紫外線硬化樹脂等にて半導体レーザ１の光ビームＦと反対側の面１ａ（以下、背面と称す）に固定される。放熱部材３は、半導体レーザ１の背面１ａに対して、ｚ軸方向に同程度の長さを有し、ｙ軸方向に同等以上の長さを有する面積の側面３ａで当該背面に対し密着し、密着面から半導体レーザ１の光ビームＦの出射方向とは反対側（ｘ軸方向）に延在した略直方体形状を備える。レーザ駆動ＩＣ４は、端子リード４ｂが半導体レーザ１側に向く面４ａ（以下、腹面と称す）を、放熱部材３の半導体レーザ１が密着する面とは反対の側面３ｂに、熱伝導グリスを介して、紫外線硬化樹脂等にて密着して固定される。この半導体レーザ１およびレーザ駆動ＩＣ４が放熱部材３に密着固定された状態を、図２に示す。
【００１４】
これにより、半導体レーザ１又は／及びレーザ駆動ＩＣ４で発生した熱は、速やかに放熱部材３に放熱される。半導体レーザ１およびレーザ駆動ＩＣ４が放熱部材３に密着固定された後、レーザ駆動ＩＣ４の端子リード４ｂは半導体レーザ１の端子電極２に半田接続される。これにより、レーザ駆動ＩＣ４と半導体レーザ１との配線長の短距離化が可能となる。
【００１５】
なお、作業性の難易によっては、レーザ駆動ＩＣ４の端子リード４ｂと半導体レーザ１の端子電極２の半田接続は、半導体レーザ１又は／及びレーザ駆動ＩＣ４が放熱部材３に密着固定される前に行なっても良い。
【００１６】
本実施の形態における放熱部材３の材料としては、例えば銅やアルミニウム等の良熱伝導性を有する金属材料が利用でき、例えばアルミニウムの場合にはアルマイト処理等の表面処理を適宜施すことができる。また、放熱部材３の半導体レーザ１の背面１ａとの密着面からの延在方向の距離は、使用する半導体レーザ１又は／及びレーザ駆動ＩＣ４で発生する発熱量等に応じて決定することができる。
【００１７】
（実施の形態２）
実施の形態１における放熱部材３の材料として、高熱伝導性を有する熱伝導シートを利用することもできる。
【００１８】
図３は、本発明の実施の形態２の光ピックアップ光源装置における要部構成を示す儀略図である。図１に示した実施の形態１の光ピックアップ光源装置の要素構成において、本実施の形態は、放熱部材３に熱伝導シートを用いた場合を示している。
【００１９】
同図において、５は熱伝導シートである。熱伝導シート５は、半導体レーザ１の背面１ａよりもｙ軸方向に長い面積を有し、粘着テープ等により半導体レーザ１の背面１ａおよびレーザ駆動ＩＣ４の腹面４ａに密着固定される。熱伝導シート５の半導体レーザ１の背面１ａよりもｙ軸方向に出た部分は、例えば光ピックアップ装置の金属ベースといった熱容量の大きい部材へ接続される。
【００２０】
これにより、半導体レーザ１又は／及びレーザ駆動ＩＣ４で発生した熱は、高熱伝導性を有する熱伝導シート５により速やかに他の熱容量の大きい部材へ伝導放熱させることができる。このように、放熱部材３として熱伝導シート５を用いれば、図３に示すように、半導体レーザ１の端子電極２をさらに短くすることができる。
【００２１】
（実施の形態３）
次に、本発明の光ピックアップ光源装置における実施の形態３について、図４を参照して説明する。
【００２２】
同図において、１は半導体レーザ、２は半導体レーザ１にレーザ駆動電流を供給する端子電極、４はレーザ駆動ＩＣ、６は放熱部材、７は放熱部材、８は断熱部材である。断熱部材８は、放熱部材６および放熱部材７で挟まれる形で密着固定される。
【００２３】
先の実施形態と異なる構成は、放熱部材６と放熱部材７の間に断熱部材８を備える点である。このように放熱部材６と放熱部材７の間に断熱部材８を設けることで、半導体レーザ１からレーザ駆動ＩＣ４へ、又は／及びレーザ駆動ＩＣ４から半導体レーザ１への伝導熱を遮断することができ、半導体レーザ１がレーザ駆動ＩＣ４に、又は／及びレーザ駆動ＩＣ４が半導体レーザ１に及ぼす熱的影響を防ぐことができる。
【００２４】
放熱部材６と放熱部材７の材料としては、先の実施形態と同様に例えば銅やアルミニウム等の良熱伝導性を有する金属材料や、図３に示した高熱伝導性の熱伝導シート等が利用できる。なお、放熱部材６と放熱部材７は同じ材料でも異なる材料でも良い。
【産業上の利用可能性】
【００２５】
本発明の光ピックアップ光源装置は、高品位な記録変調波形を確保することができるため、記録速度の高速化が必要な光ディスク装置に適用することができる。
【図面の簡単な説明】
【００２６】
【図１】本発明の実施の形態１による光ピックアップ光源装置の要部構成の関係を示す斜視図
【図２】同光ピックアップ光源装置の要部構成を示す斜視図
【図３】本発明の実施の形態２による光ピックアップ光源装置の要部構成の関係を示す斜視図
【図４】本発明の実施の形態３による光ピックアップ光源装置の要部構成の関係を示す斜視図
【符号の説明】
【００２７】
１    半導体レーザ
２    端子電極
３    放熱部材
４    レーザ駆動ＩＣ
５    熱伝導シート
６    放熱部材
７    放熱部材
８    断熱部材
【図１】
2007305205.tif 000003
【図２】
2007305205.tif 000004
【図３】
2007305205.tif 000005
【図４】
2007305205.tif 000006